(57)【要約】【課題】用紙上に形成された画像を正確に読み取ることが可能な画像読取装置及び当該画像読取装置を備える画像形成装置を提供する。【解決手段】用紙上の画像を読取位置で読み取る読取部１１と、用紙を読取位置へと案内し、画像が読み取られた用紙を排出方向へと案内する搬送経路Ｒ１と、用紙を搬送する搬送部（搬送ローラー１３１）と、搬送部を駆動する搬送駆動部と、搬送経路Ｒ１、搬送部及び搬送駆動部を保持する搬送筐体１０１と、複数の柱１０３と、隣接する柱１０３を繋ぐ梁１０４と、を有する骨格１０２と、を備える。また、複数の柱１０３の各々には、隣接する柱１０３間の距離よりも短く形成され、弾性を有する搬送筐体固定部材１０５が設けられ、搬送筐体固定部材１０５は、梁１０４よりも剛性が低い部材で構成され、搬送筐体１０１は、搬送筐体固定部材１０５により骨格１０２に固定され、読取部１１は、梁１０４に固定されている。【選択図】図４
2018166267.tif 000002
【特許請求の範囲】
【請求項１】
用紙上に形成された画像を所定の読取位置で読み取る読取部と、
前記画像が形成された用紙を前記読取位置へと案内するとともに、前記読取部により前記画像が読み取られた用紙を排出方向へと案内する搬送経路と、
前記搬送経路に沿って前記用紙を搬送する搬送部と、
前記搬送部を駆動する搬送駆動部と、
前記搬送経路、前記搬送部及び前記搬送駆動部を保持する搬送筐体と、
複数の柱と、隣接する前記柱を繋ぐ梁と、を有し、前記読取部及び前記搬送筐体を個別に固定する骨格と、
を備え、
前記複数の柱の各々には、前記隣接する柱間の距離よりも短く形成され、弾性を有する搬送筐体固定部材が設けられ、
前記搬送筐体固定部材は、前記梁よりも剛性が低い部材で構成され、
前記搬送筐体は、前記搬送筐体固定部材により前記骨格に固定され、
前記読取部は、前記梁に固定されていることを特徴とする画像読取装置。
【請求項２】
前記搬送筐体固定部材は、板金部材であることを特徴とする請求項１に記載の画像読取装置。
【請求項３】
前記読取部及び前記搬送筐体は、前記骨格に対して可動であることを特徴とする請求項１又は２に記載の画像読取装置。
【請求項４】
前記搬送筐体固定部材は、前記搬送筐体の重量に基づく変位が１ｍｍ以下となるようにバネ定数が設定されていることを特徴とする請求項１〜３のいずれか一項に記載の画像読取装置。
【請求項５】
画像データに基づく画像を形成する画像形成部と、
前記画像形成部により用紙上に形成された画像を読み取る請求項１〜４のいずれか一項に記載の画像読取装置と、
を備えることを特徴とする画像形成装置。
【発明の詳細な説明】
【技術分野】
【０００１】
本発明は、画像読取装置及び当該画像読取装置を備える画像形成装置に関する。
【背景技術】
【０００２】
従来、電子写真方式の画像形成装置は、用紙上に画質調整用の基準画像を形成し、読取部により当該基準画像を読み取って得られた読取値に応じて画像形成条件等を変更し、画質が一定となるように調整している。
【０００３】
読取部には、イメージセンサー（ＣＣＤ）、用紙を照らす照明部（ＬＥＤ）、照明部から用紙に照らされた光をイメージセンサーに結像するための光学系（ミラー、レンズ等）が設けられている。
読取部のイメージセンサーやミラーに振動が伝わると、読み取った画像が波打ったり、読み取る位置が変動したりしてしまうため、用紙上に形成された画像を正確に読み取ることができないという課題がある。
【０００４】
読取部の振動源としては、「用紙先端の搬送ガイド等への衝突」、「搬送ローラーへの用紙の突入衝撃及び搬送ローラーから用紙が抜ける衝撃」、「搬送ローラーを駆動するモーター」、「機内冷却用のファンモーター」が挙げられる。
【０００５】
通常、縮小光学系を採用する読取部は、必要光路長の確保と装置の小型化とを両立させるため、ミラーを利用して光軸を折り返しながらＣＣＤ等のイメージセンサーに結像する構成を取っている。
ミラーの長さは、読み取る用紙の幅に基づいて決定される。また、ミラーは、読取領域を避けた位置で固定する必要がある。したがって、ミラーの両端をパネル等で支持する構成が一般的である。
その結果、読取部は、ミラーの数が多いほど、また、読み取る用紙の幅が大きいほど、振動に弱くなるという課題がある。
また、ミラーの裏面中央部等を支持する構成も考えられるが、ミラーに湾曲が発生するため、読み取る画像に悪影響を及ぼしてしまう。
【０００６】
ところで、画像形成装置において、用紙の搬送には、用紙を搬送するための搬送ローラー、搬送ローラーを駆動するための駆動モーター及び搬送される用紙を案内するための搬送ガイド等の部材が必要となる。
上記の用紙搬送用部材を備える装置の一例として、読取部（スキャナー）の筐体を、緩衝材を介して装置に固定した構成が開示されている（例えば、特許文献１参照）。特許文献１記載の構成は、用紙搬送用部材からなる搬送系を、直接読取部に載置する構成である。
【先行技術文献】
【特許文献】
【０００７】
【特許文献１】特開２００５−１２３７７７号公報
【発明の概要】
【発明が解決しようとする課題】
【０００８】
ところで、駆動モーターにより搬送ローラーを駆動して用紙の搬送を行う場合、駆動モーターの駆動振動、駆動モーターの回転を搬送ローラーへと伝えるギヤやプーリの駆動振動、搬送ローラーの回転振動、用紙と搬送ガイドとの衝突により発生する衝撃等、複数の要因による振動が発生する。
上記特許文献１記載の構成は、搬送系を直接読取部に載置する構成であるため、上記複数の要因による振動が読取部に直接伝わってしまい、用紙上に形成された画像を正確に読み取ることができないという課題がある。
【０００９】
本発明は、用紙上に形成された画像を正確に読み取ることが可能な画像読取装置及び当該画像読取装置を備える画像形成装置を提供することを目的とする。
【課題を解決するための手段】
【００１０】
請求項１に記載の発明は、上記目的を達成するためになされたものであり、
用紙上に形成された画像を所定の読取位置で読み取る読取部と、
前記画像が形成された用紙を前記読取位置へと案内するとともに、前記読取部により前記画像が読み取られた用紙を排出方向へと案内する搬送経路と、
前記搬送経路に沿って前記用紙を搬送する搬送部と、
前記搬送部を駆動する搬送駆動部と、
前記搬送経路、前記搬送部及び前記搬送駆動部を保持する搬送筐体と、
複数の柱と、隣接する前記柱を繋ぐ梁と、を有し、前記読取部及び前記搬送筐体を個別に固定する骨格と、
を備え、
前記複数の柱の各々には、前記隣接する柱間の距離よりも短く形成され、弾性を有する搬送筐体固定部材が設けられ、
前記搬送筐体固定部材は、前記梁よりも剛性が低い部材で構成され、
前記搬送筐体は、前記搬送筐体固定部材により前記骨格に固定され、
前記読取部は、前記梁に固定されていることを特徴とする。
【００１１】
請求項２に記載の発明は、請求項１に記載の画像読取装置において、
前記搬送筐体固定部材は、板金部材であることを特徴とする。
【００１２】
請求項３に記載の発明は、請求項１又は２に記載の画像読取装置において、
前記読取部及び前記搬送筐体は、前記骨格に対して可動であることを特徴とする。
【００１３】
請求項４に記載の発明は、請求項１〜３のいずれか一項に記載の画像読取装置において、
前記搬送筐体固定部材は、前記搬送筐体の重量に基づく変位が１ｍｍ以下となるようにバネ定数が設定されていることを特徴とする。
【００１４】
請求項５に記載の発明は、
画像形成装置において、
画像データに基づく画像を形成する画像形成部と、
前記画像形成部により用紙上に形成された画像を読み取る請求項１〜４のいずれか一項に記載の画像読取装置と、
を備えることを特徴とする。
【発明の効果】
【００１５】
本発明によれば、用紙上に形成された画像を正確に読み取ることができる。
【図面の簡単な説明】
【００１６】
【図１】本実施形態に係る画像形成装置の概略構成図である。
【図２】本体ユニット及び画像読取装置の機能ブロック図である。
【図３】読取部の内部構成を示す側面図である。
【図４】画像読取装置の概略構成図である。
【図５】骨格の概略構成図である。
【図６】骨格の他の例の概略構成図である。
【発明を実施するための形態】
【００１７】
以下、本発明の実施の形態について、図面を参照して詳細に説明する。
【００１８】
以下に、本発明を実施するための形態について、図面を用いて説明する。なお、以下の説明において、図１における左右方向をＸ方向とし、上下方向をＺ方向とし、Ｘ方向及びＺ方向に直交する方向、すなわち、前後方向をＹ方向とする。
【００１９】
［画像形成装置の構成］
まず、本実施形態に係る画像形成装置Ｇの構成について説明する。
画像形成装置Ｇは、図１に示すように、プリントコントローラーｇ１、給紙ユニットｇ２、本体ユニットｇ３、画像読取装置ｇ４及び後処理装置ｇ５を備えている。
【００２０】
プリントコントローラーｇ１は、ネットワーク上のコンピューター端末からＰＤＬ（Page Description Language）データを受信し、当該ＰＤＬデータをラスタライズ処理してビットマップ形式の画像データを生成する。
プリントコントローラーｇ１は、Ｃ（シアン）、Ｍ（マジェンタ）、Ｙ（イエロー）及びＫ（黒）の色ごとに画像データを生成し、本体ユニットｇ３に出力する。
【００２１】
給紙ユニットｇ２は、大容量の給紙トレイを複数備えている。
給紙ユニットｇ２は、本体ユニットｇ３により指示された給紙トレイから本体ユニットｇ３へ用紙を搬送する。
【００２２】
本体ユニットｇ３は、スキャナー部６により原稿用紙Ｄを読み取って得られた画像データ又はプリントコントローラーｇ１により生成された画像データに基づき、画像形成部８により用紙上に画像を形成する。本体ユニットｇ３は、画像形成された用紙を画像読取装置ｇ４へ搬送する。
【００２３】
画像読取装置ｇ４は、読取部１１において、用紙上に形成された基準画像（例えば、色、階調性補正、線幅、カラーレジスト、表裏位置合わせ用）を読み取り、読み取られた画像データを、制御部１に出力する。画像読取装置ｇ４は、読取部１１により画像の読み取りが行われた用紙を後処理装置ｇ５へ搬送する。
【００２４】
後処理装置ｇ５は、画像読取装置ｇ４から搬送された用紙を後処理して排紙する。後処理としては、例えばステイプル処理、パンチ穴開け処理、折り処理、製本処理等が挙げられる。後処理は必須ではなく、後処理装置ｇ５は、本体ユニットｇ３から指示された場合のみ実行する。後処理が無い場合、後処理装置ｇ５は搬送された用紙をそのまま排紙する。
【００２５】
［本体ユニットの構成］
次に、本体ユニットｇ３の構成について説明する。
本体ユニットｇ３は、図１及び図２に示すように、制御部１と、記憶部２と、操作部３と、表示部４と、通信部５と、自動原稿搬送部６１と、スキャナー部６と、画像処理装置７と、画像形成部８と、矯正部９と、給紙トレイｇ３１と、を備えて構成されている。
【００２６】
制御部１は、ＣＰＵ、ＲＡＭ等を備えている。制御部１は、記憶部２に記憶されているプログラムを読み出し、当該プログラムに従って画像形成装置Ｇの各部を制御する。
例えば、制御部１は、ジョブの設定に従い、給紙ユニットｇ２又は給紙トレイｇ３１により用紙を給紙させる。また、制御部１は、画像処理装置７により画像データを補正及び画像処理させて、画像形成部８により画像を形成させる。また、制御部１は、ジョブの設定に後処理の設定が含まれる場合、後処理装置ｇ５に指示して後処理を行わせる。
【００２７】
記憶部２は、制御部１が読み取り可能なプログラム、ファイル等を記憶している。記憶部２としては、例えばハードディスク、ＲＯＭ等の記憶媒体を用いることができる。また、記憶部２は、画質調整用の基準画像のデータを記憶している。
【００２８】
操作部３は、操作キーや表示部４と一体に構成されたタッチパネル等を備え、これらの操作に応じた操作信号を制御部１に出力する。ユーザーは、操作部３により、ジョブの設定、処理内容の変更等の指示を入力することができる。
表示部４は、ＬＣＤ（Liquid Crystal Display）等であることができ、制御部１の指示に従って操作画面等を表示する。
通信部５は、制御部１からの指示に従い、ネットワーク上のコンピューター、例えばサーバー又は他の画像形成装置と通信する。
【００２９】
自動原稿搬送部６１は、原稿用紙Ｄを載置する載置トレイや原稿用紙Ｄを搬送する機構及び搬送ローラー等を備えて構成され、原稿用紙Ｄを所定の搬送経路に搬送する。
スキャナー部６は、光源や反射鏡等の光学系を備えて構成され、所定の搬送経路を搬送された原稿用紙Ｄ又はプラテンガラスに載置された原稿用紙Ｄの画像を読み取って、Ｒ（赤）、Ｇ（緑）及びＢ（青）の色ごとの画像データを生成し、画像処理装置７に出力する。
【００３０】
画像処理装置７は、スキャナー部６又はプリントコントローラーｇ１から入力された画像データを補正し、画像処理を施して、画像形成部８に出力する。
画像処理装置７は、図２に示すように、色変換部７１、階調補正部７２及び中間調処理部７３を備えている。
【００３１】
色変換部７１は、スキャナー部６から出力されたＲ、Ｇ及びＢの各色の画像データを色変換処理し、Ｃ、Ｍ、Ｙ及びＫの各色の画像データを出力する。
色変換部７１は、色補正のため、プリントコントローラーｇ１から出力されたＣ、Ｍ、Ｙ及びＫの各色の画像データを色変換処理し、色補正されたＣ、Ｍ、Ｙ及びＫの各色の画像データを出力することもできる。
色変換部７１は、色変換処理時、Ｒ、Ｇ及びＢの各色の階調値に対して、色変換後のＣ、Ｍ、Ｙ及びＫの各色の階調値が定められたＬＵＴを用いる。色変換部７１は、色補正時、Ｃ、Ｍ、Ｙ及びＫの各色の階調値に対して、色補正後のＣ、Ｍ、Ｙ及びＫの階調値が定められたＬＵＴを用いる。
【００３２】
階調補正部７２は、色変換部７１又はプリントコントローラーｇ１から出力された画像データの階調を補正する。
階調補正部７２は、階調の補正時、画像の階調特性が目標の階調特性に一致するように、各階調値に対応する補正値が定められたＬＵＴを用いる。階調補正部７２は、階調補正用のＬＵＴから、画像データの各画素の階調値に対応する補正値を得て、補正値からなる画像データを出力する。
【００３３】
中間調処理部７３は、階調補正部７２から出力された画像データを中間調処理する。中間調処理は、例えばディザマトリクスを用いたスクリーン処理、誤差拡散処理等である。
中間調処理部７３は、中間調処理後の画像データを画像形成部８に出力する。
【００３４】
画像形成部８は、画像処理装置７から出力された画像データに基づき、用紙上に画像を形成する。
画像形成部８は、図１に示すように、Ｃ、Ｍ、Ｙ及びＫの色ごとに、露光部８１、感光体８２及び現像部８３を、１セットずつ備えて構成されている。また、画像形成部８は、中間転写ベルト８４、２次転写ローラー８５、定着装置８６を備えて構成されている。
【００３５】
露光部８１は、発光素子としてＬＤ（Laser Diode）を備えている。露光部８１は、画像データに基づいてＬＤを駆動し、帯電する感光体８２上にレーザー光を照射して露光する。現像部８３は、帯電する現像ローラーにより感光体８２上にトナーを供給し、露光により感光体８２上に形成された静電潜像を現像する。
このようにして４つの感光体８２上に各色のトナーで形成された画像は、各感光体８２から中間転写ベルト８４上に順次重ねて転写される。これにより、中間転写ベルト８４上にカラー画像が形成される。中間転写ベルト８４は、複数のローラーに巻き回された無端ベルトであり、各ローラーの回転に従って回転する。
【００３６】
２次転写ローラー８５は、中間転写ベルト８４上のカラー画像を、給紙ユニットｇ２又は給紙トレイｇ３１から給紙された用紙上に転写する。定着装置８６は、転写後の用紙を加熱及び加圧して定着処理する。
【００３７】
矯正部９は、定着処理された用紙の変形を矯正し、用紙面を平面化する。ここで、用紙は定着処理によって変形しやすく、基準画像の読取時に用紙を平面化する必要がある。したがって、矯正部９は、図１に示すように、用紙の搬送方向において定着装置８６と読取部１１の間に配置されている。
【００３８】
［画像読取装置の構成］
次に、画像読取装置ｇ４の構成について説明する。
画像読取装置ｇ４は、読取部１１と、校正部１２と、用紙搬送部１３と、冷却部１４と、を備えて構成されている。
【００３９】
読取部１１は、用紙搬送部１３により搬送経路Ｒ１を搬送される用紙上に形成された画像を所定の読取位置で読み取る。
読取部１１は、図１及び図３に示すように、照明部１１１と、光学系１１２と、ＣＣＤ（Charge Coupled Device）１１３と、を備えて構成されている。照明部１１１、光学系１１２及びＣＣＤ１１３は、いずれも読取部１１の筐体内に固定されている。
【００４０】
照明部１１１は、ＬＥＤ（Light Emitting Diode）やハロゲンランプなどの光源を備え、搬送ローラー１３１により読取部１１による読取位置に搬送された用紙を照明する。
光学系１１２は、複数（本実施形態では５つ）のミラー１１２ａと、レンズ１１２ｂと、を備え、照明部１１１から用紙に照らされた光（読取位置の像）をＣＣＤ９１に結像させる。
ＣＣＤ１１３は、所定の読取位置で用紙上に形成された画像の読み取りを行う。ＣＣＤ１１３は、用紙の幅方向（Ｙ方向）における全幅の範囲を読み取り可能なカラーラインセンサーである。
【００４１】
読取部１１は、上記の構成を備えることにより、読取位置を通過する用紙の全幅に亘って用紙上に形成された画像を順次読み取り可能となっている。例えば、本実施形態では、読取部１１において、用紙上に形成された基準画像（例えば、色、階調性補正、線幅、カラーレジスト、表裏位置合わせ用）を読み取り、読み取られた画像データを本体エンジン、コントローラー、用紙搬送部等にフィードバックして、補正処理が行われる。
【００４２】
校正部１２は、搬送経路Ｒ１の下方であって、読取部１１と対向する位置に設けられている。校正部１２は、画像の読み取りの際に行うシェーディング補正の補正値を決定するための白基準板を備えている。白基準板は、読取位置に設けられ、用紙の非通過時（例えば、用紙と用紙の合間等）に間隔を空けてＣＣＤ１１３による読み取りが行われる。
【００４３】
用紙搬送部１３は、図２及び図４に示すように、搬送ローラー１３１と、駆動モーター１３２と、搬送ガイド１３３と、を備えて構成されている。
搬送ローラー（搬送部）１３１は、搬送経路Ｒ１上に複数設けられ、搬送経路Ｒ１に沿って用紙を搬送する。
駆動モーター（搬送駆動部）１３２は、制御部１の指示にしたがって、搬送ローラー１３１を駆動する。駆動モーター１３２は、搬送ローラー１３１よりも用紙の幅方向（Ｙ方向）奥側に設けられている。
搬送ガイド１３３は、搬送経路Ｒ１上に複数設けられ、搬送ローラー１３１により搬送される用紙の搬送を案内する。
【００４４】
用紙搬送部１３は、読取部１１で画像の読み取りが行われる際、搬送経路Ｒ１上に設けられた複数の搬送ローラー１３１により、用紙が所定の速度で読取部１１による読取位置を通過するように、用紙搬送を行う。用紙搬送部１３は、読取部１１により画像の読み取りが行われた用紙を、後処理装置ｇ５へと搬送する。
【００４５】
冷却部１４は、図２及び図４に示すように、所定の方向に送風可能な送風ファン１４１と、送風ファン１４１を駆動する駆動モーター１４２と、を備えて構成されている。駆動モーター１４２は、送風ファン１４１よりも用紙の幅方向（Ｙ方向）奥側に設けられている。
冷却部１４は、送風ファン１４１が照明部１１１を向くように、搬送筐体１０１に固定されている。これにより、冷却部１４は、照明部１１１に向けて送風することができるので、照明部１１１を冷却することができる。
【００４６】
搬送経路Ｒ１は、図４に示すように、複数の搬送ガイド１３３及び読取部１１の底面等により、略直線状に構成される。搬送経路Ｒ１は、画像が形成された用紙を読取位置へと案内するとともに、読取部１１により画像が読み取られた用紙を排出方向へと案内する。
【００４７】
画像読取装置ｇ４の構成のうち、読取部１１を除く、校正部１２、用紙搬送部１３（搬送ローラー１３１及び駆動モーター１３２）、冷却部１４及び搬送経路Ｒ１は、搬送筐体１０１に固定され、保持されている。
また、読取部１１及び搬送筐体１０１は、骨格１０２に個別に固定され、保持されている。
上記の構成を備えることで、用紙と搬送ガイド１３３や搬送ローラー１３１との衝突時に発生する振動が、搬送筐体１０１→骨格１０２→読取部１１の順に伝搬するので、読取部１１の伝わるまでの距離を十分確保することが可能となり、振動を十分に減衰させることができる。
【００４８】
読取部１１及び搬送筐体１０１は、骨格１０２に対して可動である。すなわち、読取部１１及び搬送筐体１０１は、それぞれ骨格１０２から引き出すことができる。
読取部１１を骨格１０２から引き出し可能に構成することで、読取部１１の故障時に容易に読取部１１を交換することができる。
また、搬送筐体１０１を骨格１０２から引き出し可能に構成することで、搬送経路Ｒ１内での用紙詰まりの際に、容易に用紙を取り除くことができる。
【００４９】
骨格１０２は、図５に示すように、複数（本実施形態では４本）の柱１０３と、隣接する柱１０３を繋ぐ梁１０４と、を有している。柱１０３及び梁１０４は、例えば、板金部材やパイプ部材で構成されている。柱１０３及びと梁１０４は、十分な強度があればいかなる材質で形成されていてもよく、例えば、鋼板やステンレス鋼（ＳＵＳ）等を用いるようにしてもよい。
【００５０】
骨格１０２は、振動源となる搬送ローラー１３１、駆動モーター１３２及び搬送経路Ｒ１を保持する搬送筐体１０１との共振を抑制する必要があるため、搬送筐体１０１の稼働周波数となることを避ける必要がある。また、骨格１０２は、搬送筐体１０１や読取部１１を支持する必要があるため、剛性を確保する必要がある。したがって、骨格１０２は、剛性を高く（すなわち、固有振動数を高く）する必要がある。
本実施形態では、画像読取装置ｇ４の外枠となる柱１０３を複数設け、それらを梁１０４で繋ぐ構成を取ることで、骨格１０２の剛性を高めることができる。
【００５１】
読取部１１は、梁１０４に固定されている。これは、読取部１１が、８０Ｈｚ程度の低周波の固有振動数を有するミラー１１２ａを備えており、低周波側に振動を伝えない高周波側の（すなわち、剛性が高い）骨格１０２に固定する必要があるからである。
本実施形態では、読取部１１を骨格１０２の梁１０４に固定することで、骨格１０２から読取部１１への振動の伝搬を抑制することができる。
【００５２】
複数の柱１０３の各々には、隣接する柱１０３間の距離よりも短く形成され、搬送筐体１０１を骨格１０２に固定する搬送筐体固定部材１０５が設けられている。すなわち、本実施形態では、隣接する柱１０３を搬送筐体固定部材１０５により繋がない構成を取っているので、搬送筐体１０１から骨格１０２への振動の伝搬を抑制することができる。
【００５３】
搬送筐体固定部材１０５は、バネ等の弾性を有する部材であり、振動源を含む搬送筐体１０１を、骨格１０２に固定している。搬送筐体固定部材１０５は、梁１０４よりも剛性が低い部材で構成されている。搬送筐体固定部材１０５のバネ定数は、搬送筐体１０１の重量に基づく変位が１ｍｍ以下となるように設定されている。本実施形態では、搬送筐体固定部材１０５として、板金部材を使用している。
また、本実施形態では、搬送に必要な機構（搬送ローラー１３１、駆動モーター１３２及び搬送経路Ｒ１等）を全て搬送筐体１０１に保持させるようにし、搬送筐体１０１の重量を重くすることで、搬送筐体１０１の固有振動数を低下させるようにしている。
上記のように、振動源を含む搬送筐体１０１を、弾性を有する部材で支持するとともに、搬送筐体１０１の重量を重くして固有振動数を低下させることで、搬送筐体１０１から伝わる振動を減衰させることができるので、振動の絶縁効果を得ることができる。
【００５４】
また、一般に、画像読取装置ｇ４は、画像の読取精度を確保するため、読取部１１と搬送される用紙との相対位置の変位が１ｍｍ程度に収まるように、精度を確保する必要がある。例えば、読取部１１や搬送筐体１０１を、強度の弱いゴム等で形成された防振材等で位置決めする構成の場合、相対位置の変位が大きくなるため、相対位置精度を確保することができない。
本実施形態では、搬送筐体固定部材１０５として、それなりに強度を有する板金部材を使用しているので、読取部１１や搬送筐体１０１を防振材等で位置決めする構成と比べ、相対位置の変位を小さくすることができる。
【００５５】
特に、本実施形態では、搬送筐体固定部材１０５のバネ定数を、搬送筐体１０１の重量に基づく変位が１ｍｍ以下となるように設定している。
これにより、読取部１１と搬送される用紙との相対位置の変位を１ｍｍ以下に収めることができる。
【００５６】
［効果］
以上のように、本実施形態に係る画像形成装置Ｇの画像読取装置ｇ４は、用紙上に形成された画像を所定の読取位置で読み取る読取部１１と、画像が形成された用紙を読取位置へと案内するとともに、読取部１１により画像が読み取られた用紙を排出方向へと案内する搬送経路Ｒ１と、搬送経路Ｒ１に沿って用紙を搬送する搬送部（搬送ローラー１３１）と、搬送部を駆動する搬送駆動部（駆動モーター１３２）と、搬送経路Ｒ１、搬送部及び搬送駆動部を保持する搬送筐体１０１と、複数の柱１０３と、隣接する柱１０３を繋ぐ梁１０４と、を有し、読取部１１及び搬送筐体１０１を個別に固定する骨格１０２と、を備える。また、複数の柱１０３の各々には、隣接する柱１０３間の距離よりも短く形成され、弾性を有する搬送筐体固定部材１０５が設けられ、搬送筐体固定部材１０５は、梁１０４よりも剛性が低い部材で構成され、搬送筐体１０１は、搬送筐体固定部材１０５により骨格１０２に固定され、読取部１１は、梁１０４に固定されている。
したがって、本実施形態に係る画像読取装置ｇ４によれば、剛性が高い骨格１０２に読取部１１を固定することができるので、骨格１０２から読取部１１への振動の伝搬を抑制することができる。
また、隣接する柱１０３を搬送筐体固定部材１０５により繋がない構成を取っているので、搬送筐体１０１から骨格１０２への振動の伝搬を抑制することができる。
また、振動源を含む搬送筐体１０１を、弾性を有する部材で支持するとともに、搬送筐体１０１の重量を重くして固有振動数を低下させることができるので、搬送筐体１０１から伝わる振動を減衰させることが可能となり、振動の絶縁効果を得ることができる。
以上より、本実施形態に係る画像読取装置ｇ４によれば、読取部１１への振動の伝搬を抑制することができるので、用紙上に形成された画像を正確に読み取ることができる。
【００５７】
また、本実施形態に係る画像読取装置ｇ４によれば、搬送筐体固定部材１０５は、板金部材である。
したがって、本実施形態に係る画像読取装置ｇ４によれば、読取部１１と搬送される用紙との相対位置の変位を小さくすることができるので、相対位置精度を確保することができる。また、搬送筐体１０１から伝わる振動を減衰させることができるので、振動の絶縁効果を得ることができる。
【００５８】
また、本実施形態に係る画像読取装置ｇ４によれば、読取部１１及び搬送筐体１０１は、骨格１０２に対して可動である。
したがって、本実施形態に係る画像読取装置ｇ４によれば、読取部１１の故障時に容易に読取部１１を交換することができるので、ダウンタイムを低減して生産性を向上させることができる。また、搬送経路Ｒ１内での用紙詰まりの際に、容易に用紙を取り除くことができるので、ダウンタイムを低減して生産性を向上させることができる。
【００５９】
また、本実施形態に係る画像読取装置ｇ４によれば、搬送筐体固定部材１０５は、搬送筐体１０１の重量に基づく変位が１ｍｍ以下となるようにバネ定数が設定されている。
したがって、本実施形態に係る画像読取装置ｇ４によれば、読取部１１と搬送される用紙との相対位置の変位を１ｍｍ以下に収めることができるので、画像の読取精度を十分に確保することができる。
【００６０】
以上、本発明に係る実施形態に基づいて具体的に説明したが、本発明は上記実施形態に限定されるものではなく、その要旨を逸脱しない範囲で変更可能である。
【００６１】
［変形例］
例えば、上記実施形態では、搬送経路Ｒ１を挟んで上方に読取部１１を、下方に校正部１２を、それぞれ配置する構成を採用しているが、これに限定されるものではない。例えば、搬送経路Ｒ１を挟んで上方に校正部１２を、下方に読取部１１を、それぞれ配置する構成を採用するようにしてもよい。
なお、搬送経路Ｒ１を挟んで上方に校正部１２を、下方に読取部１１を、それぞれ配置する構成を採用する場合、図６に示すように、読取部１１を固定する梁１０４の位置と、搬送筐体１０１を固定する搬送筐体固定部材１０５の位置と、を入れ替えるようにするとよい。
【００６２】
また、上記実施形態では、読取部１１及び校正部１２をそれぞれ１つずつ配置する構成を採用しているが、これに限定されるものではない。例えば、読取部１１及び校正部１２をそれぞれ２つずつ配置する構成を採用するようにしてもよい。この場合、一方は、搬送経路Ｒ１を挟んで上方に読取部１１を下方に校正部１２をそれぞれ配置する構成を採用し、他方は、搬送経路を挟んで上方に校正部１２を下方に読取部１１をそれぞれ配置する構成を採用することで、片面ずつ画像を読み取ることができるので、一度の用紙搬送で用紙両面の画像を読み取ることができる。
【００６３】
また、上記実施形態では、搬送筐体固定部材１０５として、板金部材を使用する構成を例示しているが、これに限定されるものではない。すなわち、搬送筐体固定部材１０５としては、弾性を有し、かつ、読取部１１と搬送される用紙との相対位置精度を確保可能な程度の強度を有する材質であればいかなる材質であってもよく、例えば、強化樹脂等を使用するようにしてもよい。
【００６４】
また、上記実施形態では、隣接する柱１０３を梁１０４で繋ぐ際、四方全てを繋ぐようにしているが、これに限定されるものではない。骨格１０２の剛性を確保する観点からは、四方全てを繋ぐ構成がより好ましいが、少なくとも搬送方向と平行な方向を繋ぐ構成であればよい。
【００６５】
また、上記実施形態では、略直線状の搬送経路Ｒ１を例示して説明しているが、これに限定されるものではない。すなわち、搬送経路Ｒ１内に、屈曲形成された屈曲部を含む構成であってもよい。
【００６６】
また、上記実施形態では、読取部１１の筐体を、底面側の一部（図中右側）が下方に突出するＬ字形状に形成しているが、これに限定されるものではない。すなわち、読み取りに必要な光路長を確保できる形状であればいかなる形状であってもよく、例えば、読取部１１の筐体を、底面側の一部が下方に突出しない箱状に形成するようにしてもよい。また、読取部１１の筐体を、底面側の中央部が下方に突出する凸字形状に形成するようにしてもよい。ただし、読取部１１の底面は、搬送経路Ｒ１を兼ねることから、用紙との接触による振動の発生を避けるべく、用紙との接触面積が狭い構成（例えば、Ｌ字形状や凸字形状の構成）の方がより好ましい。
【００６７】
その他、画像形成装置を構成する各装置の細部構成及び各装置の細部動作に関しても、本発明の趣旨を逸脱することのない範囲で適宜変更可能である。
【符号の説明】
【００６８】
Ｇ  画像形成装置
ｇ１  プリントコントローラー
ｇ２  給紙ユニット
ｇ３  本体ユニット
１  制御部
２  記憶部
３  操作部
４  表示部
５  通信部
６１  自動原稿搬送部
６  スキャナー部
７  画像処理装置
８  画像形成部
９  矯正部
ｇ４  画像読取装置
１１  読取部
１２  校正部
１３  用紙搬送部
１３１  搬送ローラー（搬送部）
１３２  駆動モーター（搬送駆動部）
１３３  搬送ガイド
１４  冷却部
１４１  送風ファン
１４２  駆動モーター
１０１  搬送筐体
１０２  骨格
１０３  柱
１０４  梁
１０５  搬送筐体固定部材
Ｒ１  搬送経路
ｇ５  後処理装置
【図１】
2018166267.tif 000003
【図２】
2018166267.tif 000004
【図３】
2018166267.tif 000005
【図４】
2018166267.tif 000006
【図５】
2018166267.tif 000007
【図６】
2018166267.tif 000008